(57)【要約】  蛍光灯から電力を取得して外部機器に電力を供給する本発明の電源装置は、前記蛍光灯から電力を取得する電力取得部と、前記蛍光灯から取得した電力を蓄積する蓄電部と、前記外部機器への電力供給を制御する電力供給制御部と、前記蛍光灯から取得した電力の低下を検出し、前記電力供給制御部に電力低下の通知を行う電力低下検出部とを有し、前記電力供給制御部は前記電力低下検出部からの前記通知を受けた際に前記外部機器への電力供給を停止する。
2009136590.tif 000002
【特許請求の範囲】
【請求項１】
蛍光灯から電力を取得して外部機器に電力を供給する電源装置であって、
前記蛍光灯から電力を取得する電力取得部と、
前記蛍光灯から取得した電力を蓄積する蓄電部と、
前記外部機器への電力供給を制御する電力供給制御部と、
前記蛍光灯から取得した電力の低下を検出し、前記電力供給制御部に電力低下の通知を行う電力低下検出部とを有し、
前記電力供給制御部は前記電力低下検出部からの前記通知を受けた際に前記外部機器への電力供給を停止する電源装置。
【請求項２】
前記電力取得部は、蛍光ランプ内部を流れる管電流が発生する磁界から、電磁誘導の原理で電力を取得する請求項１に記載の電源装置。
【請求項３】
前記電力低下検出部は、前記電力取得部が出力する電圧を監視する電圧監視部を有し、
前記電圧監視部は、前記電力取得部が出力する電圧が、既定の値以下であることを検出した際に前記電力供給制御部に前記通知を行う請求項１に記載の電源装置。
【請求項４】
前記電力低下検出部は、前記電力取得部が出力する交流電圧を整流して直流電圧を出力する整流部を有し、
前記電圧監視部は、前記整流部が出力する直流電圧の電圧値を監視する請求項３に記載の電源装置。
【請求項５】
前記蓄電部の後段に前記電力供給制御部が設けられる請求項１に記載の電源装置。
【請求項６】
前記電力供給制御部は、スイッチと、前記スイッチの開閉を制御するスイッチ制御回路とで構成され、
前記スイッチ制御回路は、前記電力低下検出部からの前記通知を受けると前記スイッチを開放状態にし、前記外部機器への電力供給を停止する請求項１に記載の電源装置。
【請求項７】
前記電力取得部が出力する交流電圧を直流電圧に整流し、前記直流電圧を前記外部機器が所望する電圧に変換する電圧変換部をさらに有し、
前記電力供給制御部は、前記電圧変換部の後段に設けられている請求項５に記載の電源装置。
【請求項８】
前記電力取得部が出力する交流電圧を直流電圧に整流し、前記直流電圧を所望の電圧に変換する電圧変換部をさらに有し、
前記電力供給制御部は、前記電圧変換部の前段に設けられている請求項５に記載の電源装置。
【請求項９】
前記電力低下検出部は、
前記蛍光灯からの光の照度を検出する照度検出部を有し、
前記照度検出部からの出力を監視し前記出力が既定の値以下であることを検出した際に、前記電力供給検出部に前記出力が既定の値以下であることの通知を行う請求項１に記載の電源装置。
【発明の詳細な説明】
【技術分野】
【０００１】
本発明は、外部機器に電力を供給する電源装置に関し、特に蛍光灯から電力を取得する電源装置に関する。
【背景技術】
【０００２】
照明装置から電力を取得する方法として、蛍光灯が発生する磁界を利用して電力を取得する方法がある（非特許文献1参照）。
図１７に、蛍光灯から電力を取得する電源装置の構成を示す。図１７に示すように、電源装置は、電力取得部２００と、整流部２０２と、蓄電部２０４と、電圧変換部２０６とを有している。
電力取得部２００は、磁性体２００Ａと、コイル２００Ｂとを有している。【０００３】
上記構成において、電力取得部２００は、磁性体２００Ａと、コイル２００Ｂとを蛍光灯に取り付けることにより、蛍光灯内部を流れる管電流が発生させる磁界から、電磁誘導により電力を取得する。
整流部２０２は電力取得部２００が出力する交流電圧を直流電圧に変換する。【０００４】
その後、蓄電部２０４は、整流部２０２が出力する直流電圧が印加され充電される。
電圧変換部２０６は蓄電部２０４から出力された直流電圧を所望のレベルの電圧に変換する。
蓄電部２０４に外部機器を駆動するのに十分な電力が蓄積されると、電圧変換部２０６で変換された直流電流、直流電圧は電圧変換部２０６に接続された外部機器に供給される。【０００５】
接続される外部機器の一例としては、各種センサ等で取得した情報を無線ＬＡＮやBluetoothやRFID等の無線通信によって伝達する無線機器が考えられる。これらの無線機器は、定期的に無線通信を行い、取得した情報をサーバ等に通知する。
【先行技術文献】
【非特許文献】
【０００６】
【非特許文献１】松田、石井、「蛍光灯から電力を取得する”照明タグ”と屋内位置管理システムSmartLocatorの紹介」、Ohm、2006年6月号、オーム社、2006/6/5
【発明の概要】
【発明が解決しようとする課題】
【０００７】
上述した、蛍光灯から電力を取得する関連技術の電源装置において、電力の取得対象である蛍光灯が消灯され再度点灯された際に電源装置の蓄電部に電力が蓄積されるまでに時間がかかるこという問題が有る。
その理由は、蛍光灯が消灯された後も蓄電部に電力が蓄積されている間は、電源装置は外部機器に電力を供給し続け、蓄電部に蓄えられた電力を消費してしまうからである。【０００８】
また、上述した関連技術の電源装置では、蛍光灯が消灯された後や調光機能によって蛍光灯内部を流れる管電流の振幅が低下した際に、供給可能な電力が外部機器の駆動に必要な電力を下回り、外部機器の動作が不安定になるという問題が有る。
その理由は、蛍光灯が消灯した後や蛍光灯が調光した後も蓄電部に電力が蓄積されているので、電源回路は外部機器に電力を供給しつづけ、蓄電部に蓄積された電力を消費し、蓄電部に蓄積された電力が外部機器を駆動する電力を下回ると、電源回路の出力電圧の低下が発生し、外部機器の動作が不安定になることがあるからである。【０００９】
本発明は、このような事情に鑑みてなされた。本発明は、蛍光灯が消灯している時や電力が十分に取得できないほど蛍光灯が調光された際に蓄電部に電力が蓄電されていても、外部機器への電力供給を停止することができる電源装置を提供することを目的とする。
【課題を解決するための手段】
【００１０】
上記目的を達成するために、蛍光灯から電力を取得して外部機器に電力を供給する本発明の電源装置は、前記蛍光灯から電力を取得する電力取得部と、前記蛍光灯から取得した電力を蓄積する蓄電部と、前記外部機器への電力供給を制御する電力供給制御部と、前記蛍光灯から取得した電力の低下を検出し、前記電力供給制御部に電力低下の通知を行う電力低下検出部とを有し、前記電力供給制御部は前記電力低下検出部からの前記通知を受けた際に前記外部機器への電力供給を停止する。【００１１】
また、本発明の電源装置において、前記電力取得部は、蛍光ランプ内部を流れる管電流が発生する磁界から、電磁誘導の原理で電力を取得してもよい。【００１２】
また、本発明の電源装置において、前記電力低下検出部は、前記電力取得部が出力する電圧を監視する電圧監視部を有していてもよく、前記電圧監視部は、前記電力取得部が出力する電圧が、既定の値以下であることを検出した際に前記電力供給制御部に前記通知を行ってもよい。【００１３】
また、本発明の電源装置において、前記電力低下検出部は、前記電力取得部が出力する交流電圧を整流して直流電圧を出力する整流部を有していてもよく、前記電圧監視部は、前記整流部が出力する直流電圧の電圧値を監視してもよい。【００１４】
また、本発明の電源装置において、前記蓄電部の後段に前記電力供給制御部が設けられていてもよい。【００１５】
また、本発明の電源装置において、前記電力供給制御部は、スイッチと、前記スイッチの開閉を制御するスイッチ制御回路とで構成されていてもよく、前記スイッチ制御回路は、前記電力低下検出部からの前記通知を受けると前記スイッチを開放状態にし、前記外部機器への電力供給を停止してもよい。【００１６】
また、本発明の電源装置は、前記電力取得部が出力する交流電圧を直流電圧に整流し、前記直流電圧を前記外部機器が所望する電圧に変換する電圧変換部をさらに有していてもよく、前記電力供給制御部は、前記電圧変換部の後段に設けられていてもよい。【００１７】
また、本発明の電源装置は、前記電力取得部が出力する交流電圧を直流電圧に整流し、前記直流電圧を所望の電圧に変換する電圧変換部をさらに有していてもよく、前記電力供給制御部は、前記電圧変換部の前段に設けられていてもよい。【００１８】
また、本発明の電源装置において、前記電力低下検出部は、前記蛍光灯からの光の照度を検出する照度検出部を有していてもよく、前記照度検出部からの出力を監視し前記出力が既定の値以下であることを検出した際に、前記電力供給検出部に前記出力が既定の値以下であることの通知を行ってもよい。
【発明の効果】
【００１９】
本発明の電源装置によれば、電力の取得対象である蛍光灯が消灯し再度点灯するまでの電源装置の起動時間が早くなる、という効果が得られる。
その理由は、蛍光灯が消灯した際に蓄電部に電力が残っている状態のまま、外部機器への電力供給が停止するため、再度蛍光灯が点灯した際に蓄電部に電力を蓄積するまでの時間が早くなるためである。【００２０】
また、本発明の電源装置によれば、電源装置に接続されている外部機器を安定に動作させることが可能となるという、効果が得られる。
その理由は、蛍光灯が消灯あるいは調光していることによって電力が十分取得できないときに蓄電部に電力が残っていても、外部機器に電力を供給しないため、蓄電部に十分な電力が蓄積されていない際に起きる電圧低下が発生しないためである。
【図面の簡単な説明】
【００２１】
【図１】本発明の第１実施形態に係る電源装置の構成を示すブロック図を示す。
【図２】図１に示した本発明の第１実施形態に係る電源装置における電力取得部の構成を示す。
【図３】図１に示した本発明の第１実施形態に係る電源装置における整流部の構成を示す回路図である。
【図４】図１に示した本発明の第１実施形態に係る電源装置における蓄電部の構成を示す回路図である。
【図５】図１に示した本発明の第１実施形態に係る電源装置における電圧変換部の構成を示す回路図である。
【図６】図１に示した本発明の第１実施形態に係る電源装置における供給制御部の構成を示す回路図である。
【図７】図１に示した本発明の第１実施形態に係る電源装置における電力低下検出部の構成を示す回路図である。
【図８】本発明の第１実施形態に係る電源回路の第１の変形例の構成を示すブロック図である。
【図９】図８に示した第１の変形例における電圧変換部の具体的構成を示すブロック図である。
【図１０】本発明の第１実施形態に係る電源装置の第２の変形例における電圧変換部の構成を示すブロック図である。
【図１１】本発明の第２実施形態に係る電源装置の構成を示すブロック図である。
【図１２】本発明の第２実施形態に係る電源装置の変形例の構成を示すブロック図である。
【図１３】本発明の第２実施形態の変形例に係る電源装置における蓄電部の構成を示す回路図である。
【図１４】本発明の第３実施形態に係る電源装置の構成を示すブロック図である。
【図１５】本発明の第４実施形態に係る電源装置における電圧検出回路の構成を示す回路図である。
【図１６】本発明の第５実施形態に係る電源装置における電力低下検出部の構成を示すブロック図である。
【図１７】関連技術の電源装置の構成を示すブロック図である。
【発明を実施するための形態】
【００２２】
以下、本発明の実施形態を、図面を参照して詳細に説明する。
【００２３】
[第１実施形態]
図１は、本発明の第１実施形態に係る電源装置の構成を示す。図１に示すように、本発明の第１実施形態に係る電源装置は、電力取得部１０と、整流部１２と、蓄電部１４と、電圧変換部１６と、電力低下検出部１８と、供給制御部（電力供給制御部）２０とを有している。
【００２４】
電力取得部１０は、蛍光灯から電力を取得し、交流電圧を出力する。
整流部１２は、電力供給部１０が出力する交流電圧を整流して直流電圧に変換する。
蓄電部１４は、整流部１２が出力する直流電圧から電力を取得して蓄電する。
電圧変換部１６は、蓄電部１４が出力する直流電圧を所望のレベルの直流電圧に変換する。
【００２５】
電力低下検出部１８は、電力取得部１０の出力を監視する。電力低下検出部１８は、電力取得部１０の出力が既定の値以下になったときには蛍光灯が消灯した、あるいは蛍光灯が調光したことによって蛍光灯から十分な電力が取得できなくなったと判断し、供給制御部２０にその旨を通知する。
電力低下検出部１８から通知を受けた供給制御部２０は、外部機器への電力供給を停止する。
【００２６】
図２は、電力取得部１０の構成例を示す。図２に示すように、電力取得部１０は、磁性体１００と、コイル１０１とで構成される。電力取得部１０は、蛍光ランプ３０の内部を流れる交流電流Ｉが発生する磁界から電磁誘導の原理で電力を取得する。この場合においては、電力取得部１０から交流電圧が出力される。
【００２７】
図３は、整流部１２の構成例を示す。図３に示すように、整流部１２は、ダイオードＤ１と、Ｄ２とからなるブリッジダイオード１２０、およびダイオードＤ３と、Ｄ４とからなるブリッジダイオード１２１で構成される。整流部１２は、電力取得部１０から入力される交流電圧を直流電圧に整流し、それを出力する。
【００２８】
図４は、蓄電部１４の構成例を示す。図５は、電圧変換部１６の構成例を示す。
図４に示すように、蓄電部１４は、コンデンサ１４０で構成される。蓄電部１４は、整流部１２から出力される直流電圧が印加されることで、電力を蓄積する。
図５に示すように、電圧変換部１６は、レギュレータ１６０によって構成される。電圧変換部１６は、蓄電部１４から出力される直流電圧を所望のレベルの直流電圧に変換する。
【００２９】
図６は、供給制御部２０の構成例を示す。図６に示すように、供給制御部２０は、スイッチ制御回路２００と、スイッチ２０１によって構成される。供給制御部２０が、電力低下検出部１８から蛍光灯の消灯を検出したという通知を受けると、スイッチ制御回路２００がスイッチ２０１を開放状態にする。
【００３０】
図７は、電力低下検出部１８の構成例を示す。図７に示すように、電力低下検出部１８は、ブリッジダイオード１８１、１８２と、平滑用コンデンサ１８３とからなる整流回路１８０、および電圧検出回路１８４により構成される。
電圧検出回路１８４は、整流回路１８０の出力電圧を監視している。電圧検出回路１８４は、整流回路１８０の出力電圧が既定の値より大きい場合には供給制御部２０に対して一定電圧を出力し、既定の値以下になると、供給制御部２０に対する電圧出力を停止する。
【００３１】
上記構成からなる第１実施形態に係る電源装置の動作について説明する。
上記構成において、電力の取得対象である蛍光灯が点灯し、蛍光灯から十分な電力が取得できているとき、電力取得部１０は蛍光灯から電力を取得して交流電圧を出力し、整流部１２は電力取得部１０から入力される交流電圧を直流電圧に整流している。
整流された直流電圧は蓄電部１４を構成するコンデンサ１４０の両端に印加され、コンデンサ１４０は電力を蓄電する。
【００３２】
電圧変換部１６は蓄電部１４から入力される直流電圧を所望のレベルの直流電圧に変換して出力する。
電力低下検出部１８では、電力取得部１０から入力される交流電圧を整流回路１８０が直流電圧に整流している。電圧検出回路１８４は、整流回路１８０が出力する電圧を監視している。蛍光灯が点灯している場合、整流回路１８０が出力する電圧は既定値以上であるため、電圧検出回路１８４は供給制御部２０に対して一定電圧を出力している。
【００３３】
供給制御部２０は、蛍光灯が点灯していて、電力が十分に取得できるとき、電力低下検出部１８から一定の電圧を入力されているのでスイッチ２０１を閉成状態にしており、外部機器は供給制御部２０からの電力供給を受けて動作することができる。
【００３４】
蛍光灯が消灯あるいは、十分な電力が取得できないほど蛍光灯が調光されると、電力取得部１０からの交流電圧の入力が停止し、整流部１２は直流電圧の出力を停止する。
蓄電部１４には、蓄電された電力が残っているので、電圧変換部１６に対して直流電圧を出力し続ける。電圧変換部１６は、蓄電部１４から印加されている直流電圧を所望のレベルの直流電圧に変換して出力する。
【００３５】
蛍光灯が消灯あるいは、十分な電力が取得できないほど蛍光灯が調光されると電力取得部１０から電力低下検出部１８に印加される交流電圧の振幅が低下するので、電力低下検出部１８の整流回路１８０が出力する直流電圧の出力値も低下する。整流回路１８０の直流電圧出力が既定値以下になると、電圧検出回路１８４は供給制御２０に対する電圧出力を停止する。
【００３６】
一方、供給制御部２０のスイッチ制御回路２００は、電力低下検出部１８からの電圧入力が停止すると、スイッチ２０１を開放状態にする。そのため、外部機器は供給制御部２０からの電力供給が受けられないため、動作を停止する。外部機器の動作が停止するため電力が消費されなくなり、蓄電部１４に蓄電された電力は保持される。
【００３７】
[変形例１]
本発明の第１実施形態に係る電源装置では、機能ブロックごとに分けて動作の説明をしたが、実際の回路実装では、本発明の第１実施形態の第１の変形例として電圧変換部１６と供給制御部２０を同一の素子内に内蔵する構成が考えられる。
図８は、本変形例における電源装置の構成を示している。電力取得部１０と、整流部１２と、蓄電部１４、電力低下検出部１８の動作は、本発明の第１実施形態の対応構成の動作と同様であるので説明を省略する。
【００３８】
図８において、供給制御機能内蔵電圧変換素子（供給制御機能付電圧変換素子）４０は、蛍光灯が点灯し蛍光灯から十分な電力が取得可能な場合には蓄電部１４から入力される直流電圧を所望のレベルの直流電圧に変換して出力する。
蛍光灯が消灯あるいは十分な電力が取得できないほど蛍光灯が調光された場合には、供給制御機能内蔵電圧変換素子４０は、電力低下検出部１８からの通知を受け、電圧出力を中止する。
【００３９】
図９は、本変形例における供給制御機能内蔵電圧変換素子４０の構成を示している。
供給制御機能内蔵電圧変換素子４０は、レギュレータ４００と、スイッチ制御回路４０１と、スイッチ４０２とで構成されている。レギュレータ４００、スイッチ制御回路４０１、スイッチ４０２は、本発明の第１実施形態に係る電源装置の対応構成と同様であるので説明を省略する。
【００４０】
[変形例２]
本発明の第１実施形態の第１の変形例では、レギュレータ４００の後段にスイッチ４０２を設ける構成を有していたが、本発明の第１実施形態の第２の変形例として、スイッチ４０２をレギュレータ４００の前段に設ける構成も考えられる。
図１０は、本発明の第１実施形態の第２の変形例における供給制御機能内蔵電圧変換素子４０Ａの構成を示している。
【００４１】
供給制御機能内蔵電圧変換素子４０Ａの動作を説明する。
蛍光灯が点灯し蛍光灯から十分に電力を取得できる場合、スイッチ制御回路４０１には電力低下検出部１８から一定の電圧を入力され、スイッチ制御回路４０１は、スイッチ４０２を閉成状態にする。
スイッチ４０２が閉成状態であるため、レギュレータ４００には蓄電部１４から直流電圧が入力されており、レギュレータ４００は入力された直流電圧を既定の電圧レベルに変換して、外部機器に対して出力する。
【００４２】
一方、蛍光灯が消灯している場合あるいは蛍光灯から十分な電力が取得できない場合、スイッチ制御回路４０１に対する電力低下検出部１８からの電圧入力が停止するため、スイッチ制御回路４０１はスイッチ４０２を開放状態にする。スイッチ４０２が開放状態になるとレギュレータ４００への直流電圧の入力が停止するため、レギュレータ４００の出力が停止する。
【００４３】
[第２実施形態]
本発明の第１実施形態に係る電源装置では、電圧変換部１６の後段に供給制御部２０を設ける構成としていたが、電圧変換部１６の前段に供給制御部２０を設ける構成も考えられる。
図１１は、本発明の第２実施形態に係る電源装置の構成を示す。本発明の第２実施形態に係る電源装置は、電圧変換部１６の前段に供給制御部２０を設けるように構成されている。電力取得部１０、整流部１２、蓄電部１４、電圧変換部１６、電力低下検出部１８、および供給制御部２０の各構成は、本発明の第１実施形態の対応構成と同様であるので、説明は省略する。
【００４４】
上記構成において、蛍光灯が点灯し蛍光灯から十分な電力が取得できる場合、供給制御部２０のスイッチ制御回路２００には電力低下検出部１８から一定の電圧を入力され、スイッチ制御回路２００はスイッチ２０１を閉成状態にする。スイッチ２０１が閉成状態であるため、電圧変換部１６には蓄電部１４から直流電圧が入力されており、電圧変換部１６は入力された電圧を既定のレベルの直流電圧に変換して、外部機器に対して出力する。
【００４５】
蛍光灯が消灯している場合あるいは蛍光灯から十分な電力が取得できない場合、電力低下検出部１８は供給制御部２０のスイッチ制御回路２００に対する電圧の入力を停止するため、スイッチ制御回路２００はスイッチ２０１を開放状態にする。スイッチ２０１が開放状態になると電圧変換部１６への直流電圧の入力が停止するため、電圧変換部１６の出力が停止する。
【００４６】
[変形例]
本発明の第２実施形態では、機能ブロックごとに分けて動作の説明をしたが、実際の実装では、本発明の第２実施形態の変形例として、蓄電部１４に供給制御部２０を内蔵する構成も考えられる。
図１２は、本変形例における電源装置の構成を示している。図１２において、電力取得部１２、整流部１２、電圧変換部１６、電力低下検出部１８の動作は、本発明の第１実施形態に係る電源装置の対応構成の動作と同様であり、説明は省略する。
【００４７】
図１３は、図１２における供給制御機能内蔵蓄電素子（供給制御機能付蓄電素子）５０の構成を示している。
供給制御機能内蔵蓄電素子５０は、コンデンサ５０３、スイッチ制御回路５０１、スイッチ５０２で構成されている。それぞれの動作は本発明の第１実施形態に係る電源装置の対応構成の動作と同様であり、説明は省略する。
【００４８】
[第３実施形態]
本発明の第１、第２実施形態では、蓄電部１４が電圧変換部１６の前段にある構成について説明したが、蓄電部１４が電圧変換部１６の後段にあってもよい。
図１４に本発明の第３実施形態に係る電源装置の構成を示す。本発明の第３実施形態に係る電源装置は、蓄電部１４が電圧変換部１６の後段に設けられている。
図１４において、電力取得部１０、整流部１２、および電力低下検出部１８の具体的構成及び動作は、本発明の第１の実施の形態の対応構成の構成及び動作と同様であるため、説明を省略する。
【００４９】
上記構成において、電圧変換部１６は、整流部１２が出力する直流電圧を所望のレベルの直流電圧に変換する。蓄電部１４は、電圧変換部１６が出力する直流電圧から電力を取得して蓄電する。
電力低下検出部１８から通知を受けた供給制御部２０は、電力供給を停止する。
実際の回路実装では本発明の第３実施形態の変形例と同様に蓄電部１４に供給制御部２０を内蔵する素子を利用してもよい。
【００５０】
[第４実施形態]
本発明の第１実施形態、第２実施形態に係る電源装置における電力低下検出部１８の電圧検出回路の実現方法について説明する。
図１５は、本発明の第４実施形態に係る電力低下検出部１８の電圧検出回路電圧検出回路の具体的構成を示す。
図１５において、電圧検出回路１８４は、コンデンサ１４０、抵抗Ｒ１〜Ｒ４、およびトランジスタＱ１、Ｑ２によって構成されている。
【００５１】
蛍光灯が点灯し蛍光灯から十分な電力が取得できている場合、コンデンサ１８３は、整流回路１８のダイオードブリッジ１８１，１８２から出力される電圧を平滑化する。平滑化された電圧は抵抗Ｒ１、Ｒ２によって分圧され、分圧された電圧がトランジスタＱ１に印加される。
この電圧によって、トランジスＱ１はスイッチング動作を行うことでＯＮ状態となり、トランジスタＱ２のベース端子の電圧レベルがグランドレベルとなる。これによって、トランジスタＱ２はＯＦＦ状態となり、供給制御部２０に不定の電圧が出力される。
【００５２】
一方、蛍光灯が消灯し蛍光灯から十分な電力が取得できない場合、トランジスタＱ１のベース端子に印加されている電圧が既定値以下となり、トランジスタＱ１はＯＦＦ状態になる。
他方、抵抗Ｒ４を介してコンデンサ１４０が出力する電圧がトランジスタＱ２のベース端子に印加されるため、トランジスタＱ２がスイッチング動作を行い、ＯＮ状態となり、供給制御部２０への出力端子が接地される。
供給制御部２０では、電力低下検出部１８から入力端子が接地されたことを検出して、スイッチ制御回路２００を制御して、スイッチ２０１を開放状態とする。
【００５３】
[第５実施形態]
本発明の第１〜第４実施形態では、電力取得部１０が出力する交流電圧を電力低下検出部１８における整流回路１８０で整流することで得られる直流電圧の値を監視することで蛍光灯から取得できる電力の低下を検出していた。しかしながら、蛍光灯が発している光の照度を検出することで、電力低下を検出する方法も考えられる。
【００５４】
図１６に本発明の第５実施形態に係る電源装置の構成を示す。本実施形態に係る電源装置が他の実施形態に係る電源装置と構成上の差異は、電力低下検出部を蛍光灯が発している光Ｌの照度を検出することで、電力低下を検出するようにした点であり、他の構成は同様であるので重複する説明は省略する。
図１６に示すように、本実施の形態における電力低下検出部１８Ａは、光検出回路１８５と電圧検出回路１８６によって構成される。
【００５５】
上記構成において、光検出回路１８５は、蛍光灯からの一定の照度以上の光Ｌを受けている間は一定の電圧を出力し、蛍光灯が消灯されたあるいは蛍光灯が調光され既定以下の照度になると、電圧出力を停止する。
電圧検出回路１８６は、光検出回路１８５の出力電圧を監視して、電圧出力が停止したら、蛍光灯が消灯あるいは調光していることにより蛍光灯から十分な電力が取得できなくなったと判断する。
以上、実施形態を参照して本願発明を説明したが、本願発明は上記実施形態に限定されない。本願発明の構成や詳細には、本願発明のスコープ内で当業者が理解し得る様々な変更をすることができる。
【００５６】
この出願は、２００８年５月７日に出願された日本出願特願２００８−１２１２３１を基礎とする優先権を主張し、その開示の全てをここに取り込む。
【産業上の利用可能性】
【００５７】
本発明は、外部機器に電力を供給する電源装置に適用できる。この電源装置によれば、蛍光灯消灯時や電力が十分に取得できないほど蛍光灯が調光された際に蓄電部に電力が蓄電されていても、外部機器への電力供給を停止することができる。
【符号の説明】
【００５８】
１０   電力取得部
１２   整流部
１４   蓄電部
１６   電圧変換部
１８   電力低下検出部
２０   供給制御部
【図１】
2009136590.tif 000003
【図２】
2009136590.tif 000004
【図３】
2009136590.tif 000005
【図４】
2009136590.tif 000006
【図５】
2009136590.tif 000007
【図６】
2009136590.tif 000008
【図７】
2009136590.tif 000009
【図８】
2009136590.tif 000010
【図９】
2009136590.tif 000011
【図１０】
2009136590.tif 000012
【図１１】
2009136590.tif 000013
【図１２】
2009136590.tif 000014
【図１３】
2009136590.tif 000015
【図１４】
2009136590.tif 000016
【図１５】
2009136590.tif 000017
【図１６】
2009136590.tif 000018
【図１７】
2009136590.tif 000019
【国際調査報告】
2009136590.tif 000020
2009136590.tif 000021